(57)【要約】      （修正有）【課題】複数条の隆起部が、外圧によって立体感を損なうことのない織物の提供。【解決手段】縦糸と横糸とを織り込んで形成された、縦方向Ｙへ延びる複数条の隆起部２０と、横方向Ｘにおいて隣り合う隆起部２０間において縦方向Ｙへ延びる複数条の平坦部３０とを含む織物１０。隆起部２０は、管状であって、横方向Ｘにおいて隣り合う平坦部３０をつなぐ凹部２２を有し、縦方向Ｙへ延びる芯糸１８が隆起部２０内に配置されており、凹部２２において、縦糸と横糸とによる網目に芯糸１８が織り込まれている織物１０。隆起部２０内において、凹部２２においてのみ、芯糸１８が固定されていることが好ましい織物１０。【選択図】図１
2017150114.tif 000002
【特許請求の範囲】
【請求項１】
縦方向と横方向とを有し、上面と、下面と、縦糸と横糸とを織り込んで形成された、前記縦方向へ延びる複数条の隆起部と、前記横方向において隣り合う前記隆起部の間において前記縦方向へ延びる複数条の平坦部とを含む織物において、
前記隆起部は、管状であって、前記横方向において隣り合う前記平坦部をつなぐ凹部を有し、
前記縦方向へ延びる芯糸が前記隆起部内に配置されており、
前記凹部において、前記縦糸と前記横糸とによる網目に前記芯糸が織り込まれていることを特徴とする前記織物。
【請求項２】
前記芯糸が、前記隆起部内において前記凹部においてのみ固定されている請求項１に記載の織物。
【請求項３】
前記横方向において隣り合う前記隆起部に位置する前記凹部が、前記横方向において位置ずれしている請求項１又は２に記載の織物。
【請求項４】
前記隆起部が複数の前記凹部を有し、前記凹部間の前記縦方向における離間寸法が、１０．０〜２０．０ｃｍである請求項１〜３のいずれかに記載の織物。
【請求項５】
前記隆起部内に複数の芯糸が位置し、前記複数の芯糸は、前記凹部において前記横方向に並んで位置しており、前記隆起部のうちの前記凹部を除く部分において集束状に位置する請求項１〜４のいずれかに記載の織物。
【発明の詳細な説明】
【技術分野】
【０００１】
本発明は、織物に関する。
【背景技術】
【０００２】
従来、シーツ等に使用される織物は、公知である。例えば、特許文献１には、縦方向へ延びる複数の隆起部と、隆起部間において縦方向へ延びる複数条の平坦部とを有する織物が開示されている。
【先行技術文献】
【特許文献】
【０００３】
【特許文献１】実開昭５５−６２５８９号
【０００４】
特許文献１に開示の織物においては、管状の隆起部の内部に縦方向へ延びる複数条の芯糸が配置されていることから、立体感に優れ、使用者の体圧等の外圧が加えられても隆起部が圧潰されるおそれはない。
【０００５】
しかしながら、芯糸は、互いに独立した又は連結された複数の糸から形成された集束体であって、隆起部を形成する上下布に固定されていないことから、隆起部内に自由に動くことが可能である一方、織物全体に折り曲げたり捩じったりする力が加えられたときに、隆起部内において芯糸が変形したり偏倚したりして、隆起部の立体感が損なわれるおそれがある。
【発明の概要】
【発明が解決しようとする課題】
【０００６】
本発明は、従来の発明の改良であって、複数条の隆起部が、外圧によって立体感を損なうことのない織物を提供することを課題にしている。
【課題を解決するための手段】
【０００７】
本発明に開示の発明は、縦方向と横方向とを有し、上面と、下面と、縦糸と横糸とを織り込んで形成された、前記縦方向へ延びる複数条の隆起部と、前記横方向において隣り合う前記隆起部の間において前記縦方向へ延びる複数条の平坦部とを含む織物に関する。
【０００８】
本発明に係る織物は、前記隆起部は、管状であって、前記横方向において隣り合う前記平坦部をつなぐ凹部を有し、前記縦方向へ延びる芯糸が前記隆起部内に配置されており、前記凹部において、前記縦糸と前記横糸とによる網目に前記芯糸が織り込まれていることを特徴とする。
【０００９】
本発明に係る織物の実施態様の一つにおいて、前記芯糸が、前記隆起部内において前記凹部においてのみ固定されている。
【００１０】
本発明に係る織物の他の実施態様の一つにおいて、前記横方向において隣り合う前記隆起部に位置する前記凹部が、前記横方向において位置ずれしている。
【００１１】
本発明に係る織物のさらに他の実施態様の一つにおいて、前記隆起部が複数の前記凹部を有し、前記凹部間の前記縦方向における離間寸法が、１０．０〜２０．０ｃｍである。
【００１２】
本発明に係る織物のさらに他の実施態様の一つにおいて、前記隆起部内に複数の芯糸が位置し、前記複数の芯糸は、前記凹部において前記横方向に並んで位置しており、前記隆起部のうちの前記凹部を除く部分において集束状に位置する。
【発明の効果】
【００１３】
本発明に係る織物によれば、凹部において、縦糸と横糸とによる網目に芯糸が織り込まれていることから、芯糸が隆起部内において安定的に配置され、外圧によって隆起部の立体感が損なわれることはない。
【図面の簡単な説明】
【００１４】
【図１】本発明に係る織物の斜視図。
【図２】図１のＩＩ線で囲んだ領域の部分拡大図。
【図３】図１のＩＩＩ−ＩＩＩ線に沿う断面図。
【図４】図１のＩＶ線で囲んだ領域の一部拡大斜視図。
【発明を実施するための形態】
【００１５】
図１〜図３を参照すると、織物１０は、縦方向Ｙと、横方向Ｘと、厚さ方向Ｚと、上下面１１，１２とを有し、互いに並行して縦方向Ｙへ延びる複数条の隆起部２０と、隣り合う隆起部（肉厚部分）２０間にあって縦方向Ｙへ延びる複数条の平坦部（肉薄部分）３０とを含む。隆起部２０は、織物１０の上下面１１，１２のうちの少なくとも一方において平坦部３０から隆起するように膨らんでいればよく、図示例では、上下面１１，１２において隆起している。なお、説明の便宜上、織物１０の平面上の方向として縦方向Ｙと横方向Ｘとを用いているが、織物１０は裁断する形状によって外形が変化するので、縦横の相違がないものを含み、「縦方向Ｙと横方向Ｘと」は、単に平面上において交差する方向を意味する。
【００１６】
織物１０は、縦糸１４と横糸１５とで織られたものであって、平坦部３０を形成する縦糸１４と横糸１５とが隆起部２０では上下に分かれて、上面１１側に位置する上側部分１６と下面１２側に位置する下側部分１７とを形成している。隆起部２０は、縦糸１４と横糸１５とが上下に分かれることによって、上下側部分１６，１７によって形成された管状をなし、その内部には、縦方向Ｙへ延びる複数条の芯糸１８が位置している。かかる織り込み態様を有することから、縦糸１４と横糸１５とが交差することによって画成される網目１９Ａ，１９Ｂは、平坦部３０に形成される網目１９Ａに比べて、隆起部２０に形成される網目１９Ｂが大きくなっている。芯糸１８は、縦糸１４と横糸１５よりも繊度が大きく、より好ましくは、両糸１４，１５の繊度の約２倍以上の繊度を有する複数の糸からなる組み紐であって、少なくとも２条以上の芯糸１８が、隆起部２０の内部に配置されている。本実施形態では、７本の芯糸１８が隆起部２０の内部に配置されている。
【００１７】
図２及び図３を参照すると、複数の芯糸１８は、隆起部２０内において集束状に配置されている。それによって、隆起部２０は、立体感を有するとともに、縦方向Ｙへ連続的に延びる芯糸１８の集束体が内部に位置することによって、織物１０に対して縦方向Ｙ及び横方向Ｘに対する一定のコシを付与するとともに、外圧によっても圧潰されることはなく、圧縮復元性に優れる。また、芯糸１８は、それぞれ互いに接合されることなくそれぞれ独立されており、複数の芯糸１８からなる集束体と隆起部２０の内周面との間にはわずかに隙間４０が形成されており、隆起部２０内は、集束体が隙間４０なく収容されている場合に比べて、通気性及び保湿性に優れる。芯糸１８は、その両端が、織物１０の縦方向Ｙにおいて互いに対向する両端縁部（図示せず）において、縦糸１４及び横糸１５とともにミシン目によって接合されているが、隆起部２０内において（後記の凹部２２を除く）固定されておらず、比較的に自由に動くことができる。したがって、芯糸１８全体が固定されている場合に比べて、隆起部２０は圧縮弾性に優れるといえる。芯糸１８を形成する組紐は、製造工程中に機械方向へ伸長されて縮径されるが、ワッシャー加工によって嵩回復されて、隆起部２０内において僅かな隙間を形成する程度にその内部で膨らんで位置する。
【００１８】
芯糸１８としては、撚糸のほかに、フィラメント糸、紐、リボン状の不織布片、合成樹脂線状物、合成樹脂発泡線状物等であってもよい。また、縦糸１４と横糸１５の素材として、天然繊維、合成繊維、カーボン繊維、ガラス繊維、金属繊維、導電性繊維等を単独又は混合して使用することができる。
【００１９】
織物１０において、平坦部３０及び隆起部２０の横方向Ｘの寸法Ｗ１，Ｗ２は、必要に応じて適宜自由に設定することができるが、両寸法Ｗ１，Ｗ２が等しく、又は、平坦部３０の横方向Ｘの寸法Ｗ１が隆起部２０の横方向Ｘの寸法Ｗ２よりも大きいことが好ましい。本実施形態においては、平坦部３０の横方向Ｘの寸法Ｗ１は、１．０〜２．５ｃｍであって、隆起部２０の横方向Ｘの寸法（幅寸法）Ｗ２は、０．５〜２．０ｃｍである。隆起部２０の横方向Ｘの寸法Ｗ２が０．５ｃｍ以下の場合には、織物１０を寝具のシーツとして使用したときに、比較的に広い範囲に肌が体圧によって圧迫されることによって、使用者（特に、比較的に長時間寝臥状態にある高齢者の）の身体に線状の圧迫跡が付いてしまうおそれがある。隆起部２０の横方向Ｘの寸法Ｗ２が２．０ｃｍ以上の場合には、相対的に平坦部３０の横方向Ｘの寸法Ｗ１が小さくなり、所要の通気性を発揮することができなくなるおそれがある。
【００２０】
また、織物１０において、平坦部３０の厚さ寸法Ｄ１は、２．０〜５．０ｍｍであって、隆起部２０の厚さ寸法Ｄ２は、３．０〜１５．０ｍｍである。隆起部２０の厚さ寸法Ｄ２が３．０ｍｍ以下の場合には、使用者の身体と平坦部３０との間に空気の流れる通気路が十分に形成されず通気性が低下するおそれがある。一方、隆起部２０の厚さ寸法Ｄ２が、１５．０ｍｍ以上の場合には、凸状の隆起部が使用者に違和感を与えるとともに、体圧によって身体に圧迫跡が付くおそれがある。
【００２１】
図１〜図４を参照すると、隆起部２０は、さらに、他の領域（凸部）に比べて肉薄の凹部２２を有する。凹部２２は、平坦部３０とほぼ同じ又はそれより僅かに大きな厚さ寸法を有し、隆起部２０を介して横方向Ｘに隣り合う平坦部３０どうしを互いに連結している。芯糸１８は、凹部２２において、縦糸１４と横糸１５とによって画成された網目１９Ｂに織り込まれており、上側部分１６と下側部分１７とに一体化されている。具体的には、凹部２２において、複数条（図示例では、７本）の芯糸１８が横方向Ｘにおいてそれぞれ並んで位置し、各芯糸１８が縦方向Ｙへ並ぶ網目１９Ａに織り込まれている。芯糸１８の繊度は、隆起部２０の網目１９Ｂよりも大きいことから、網目１９Ｂを押し広げるようにして織り込まれており、織り込まれた部分が網目１９Ｂから上方及び／又は下方へ膨らんでいる。このように芯糸１８が織り込まれたことによって、凹部２２に位置する芯糸１８の一部は、隆起部２０の他の部分に位置する芯糸１８のようにワッシャー加工をしても嵩回復しないことから、凹部２２が平坦部３０とほぼ同じ又はそれよりも僅かに大きな厚さ寸法となっている。
【００２２】
芯糸１８は、隆起部２０内において非固定であって自由に動くことができるので、使用中や搬送中等において、織物１０全体又は隆起部２０に対してそれを折り曲げたり捩じったりする力が加えられたときに、隆起部２０内において偏倚したり変形したりして集束状態が崩れて立体感が損なわれるおそれがある。しかしながら、本実施形態においては、芯糸１８が、凹部２２において上下側部分１６，１７に織り込まれて局所的に固定されることから、かかる事態を避けることができる。したがって、芯糸１８は、隆起部２０内において凹部２２以外の部分において自由に動きうる状態で集束されて圧縮復元性を発揮することができるとともに、凹部２２において上下側部分１６，１７に織り込まれていることから、立体感を損なうような偏倚や変形を生じることはない。
【００２３】
凹部２２は、各隆起部２０において、縦方向Ｙへ離間して複数配置されていることが好ましく、図４を参照すると、例えば、任意の隆起部２０における凹部２２Ａと凹部２２Ｂとの縦方向Ｙの離間寸法Ｒは、１０．０〜２０．０ｃｍである。離間寸法Ｒが１０．０ｃｍ以下の場合には、芯糸１８のうちの自由に動ける部分が少なくなって隆起部２０の外圧に応じる変形性が低下するおそれがあり、一方、離間寸法Ｒが２０．０ｃｍ以上の場合には、凹部２２以外の部分において芯糸１８が集束状を維持することができず、立体感を損なうおそれがある。なお、凹部２２において、隆起部２０内に位置する芯糸１８のすべてが上下側部分１６，１７の網目１９Ｂに織り込まれているが、芯糸１８のうちの半数又はそれ以下のものが網目１９Ｂに織り込まれていなくてもよい。
【００２４】
また、例えば、病院や介護施設等の比較的に長時間寝臥状態となる高齢者用のシーツとして織物１０を用いた場合には、圧縮復元性に優れた隆起部２０が身体に当接して使用感が良好であるとともに、織物１０の全体が当接されず、身体と平坦部３０との間に外気が流れ込む通気スペース（通気路）が形成されることによって蒸れが抑制されて、褥瘡の発生を抑制することができる。また、隆起部２０に複数の凹部２２が形成されていることによって、身体に当接されている隆起部２０においても部分的に身体に当接されず、身体が縦方向Ｙへ連続的に圧迫されることがないので、褥瘡の発生を抑制することができる。さらに、凹部２２は、平坦部３０とほぼ同じかそれよりも僅かに大きな厚さ寸法であることから、横方向Ｘにおいて隣り合う平坦部３０どうしをつなぐとともに、すべての平坦部３０が凹部２２によって連通されるので、各平坦部３０が独立している場合に比べて、空気の流れが良好であって、通気性に優れる。
【００２５】
凹部２２の配置数、配置パターンは、適宜自由に選択することができるが、本実施形態においては、隣り合う隆起部２０の凹部２２が、横方向Ｘにおいて位置ずれしている。凹部２２が、横方向Ｘにおいて並んで位置する場合には、凹部２２が位置する部分において織物１０の横方向Ｘにおける強度が低下するおそれがあるが、このように位置ずれしていることによって、織物１０の横方向Ｘにおける強度が部分的に低下するのを抑制することができる。
【００２６】
本明細書において、織物１０を構成する各構成材料には、特に記述がなされている場合を除き、この種の分野において通常用いられている、各種の公知の材料を制限なく用いることができる。
【符号の説明】
【００２７】
１０  織物
１１  上面
１２  下面
１８  芯糸
２０  隆起部
２２  凹部
３０  平坦部
Ｒ    隆起部における凹部間の離間寸法
Ｘ    横方向
Ｙ    縦方向
【図１】
2017150114.tif 000003
【図２】
2017150114.tif 000004
【図３】
2017150114.tif 000005
【図４】
2017150114.tif 000006